(57)【要約】【課題】シート定着作業を容易に行うことができるシートの定着構造を提供する。【解決手段】折り返し部３ｃを端部寄り部位に有するシート３と、シート３の折り返し部３ｃの内側に取付けられる係止部材２３と、係止部材２３および折り返し部３ｃが抜け防止された状態で取付けられる凹溝２２ｂを長手方向に有し、かつ外側に固定部材係合用の係合部２２ａが設けられたファスナー部材２２と、ファスナー部材２２が入る取付凹部２０を長手方向に有し、取付凹部２０に長手方向と直交する方向からファスナー部材２２を挿入して係合部２２ａと係合される被係合部２０ａが取付凹部２０に設けられた固定部材１０とを具備し、取付凹部２０にファスナー部材２２を固定部材１０の長手方向と直交する方向から挿入し、係合部２２ａを被係合部２０ａに係合させることにより、取付凹部２０にファスナー部材２２が取付けられる。【選択図】図３
2007314990.tif 000002
【特許請求の範囲】
【請求項１】
折り返し部を端部寄り部位に有するシートと、
上記シートの折り返し部の内側に取付けられる係止部材と、
上記係止部材および上記折り返し部が抜け防止された状態で取付けられる凹溝を長手方向に有し、かつ外側に固定部材係合用の係合部が設けられたファスナー部材と、
上記ファスナー部材が入る取付凹部を長手方向に有し、該取付凹部に長手方向と直交する方向から上記ファスナー部材を挿入して上記係合部と係合される被係合部が上記取付凹部に設けられた固定部材とを具備し、
上記取付凹部に上記ファスナー部材を固定部材の長手方向と直交する方向から挿入し、上記係合部を上記被係合部に係合させることにより、取付凹部に上記ファスナー部材が取付けられることを特徴とするシートの定着構造。
【請求項２】
請求項１に記載のシートの定着構造において、
前記被係合部が前記取付凹部の側面から取付凹部内に突出する突条に形成され、前記係合部が上記突条に引掛けることにより係合する断面鈎形に形成されていることを特徴とするシートの定着構造。
【請求項３】
請求項１または２に記載のシートの定着構造において、
前記凹溝は、前記係止部材が取付けられる広幅部とこれに繋がっていてシート部分が通る狭幅部とを有するもので、上記狭幅部が上記係止部材を抜け防止する幅寸法で形成されていることを特徴とするシートの定着構造。
【請求項４】
請求項１乃至３のいずれか１項に記載のシートの定着構造において、
前記固定部材の下側に、固定部材よりも固定部材の幅方向に突出した庇部を有する内樋が設けられ、上記庇部には上方に突出した突出部が設けられていることを特徴とするシートの定着構造。
【請求項５】
請求項１乃至４のいずれか１項に記載のシートの定着構造において、
前記固定部材を覆うとともに該固定部材にシートを押し付けるように取付けられるカバー部材と、そのカバー部材のシート側に配置される防水カバーとを更に備えることを特徴とするシートの定着構造。
【請求項６】
請求項５に記載のシートの定着構造において、
前記防水カバーの幅方向端部と対向する固定部材の幅方向端部に、シートを挟持するように別の防水カバーが設けられていることを特徴とするシートの定着構造。
【請求項７】
請求項１乃至６のいずれか１項に記載のシートの定着構造において、
前記固定部材は、前記固定部材の長手方向と直交する幅方向両側に前記取付凹部を有し、各取付凹部にそれぞれ取付けられた両ファスナー部材の凹溝に各折り返し部が抜け防止された両シートは、前記折り返し部よりも外側にシート端縁部を有し、各シート端縁部を固定部材の上側に、かつこれら両シート端縁部どうしが相互に重なるように位置させ、両シート端縁部の重なり部分が接着、溶着または貼着されていることを特徴とするシートの定着構造。
【請求項８】
請求項１乃至７のいずれか１項に記載のシートの定着構造において、
前記固定部材が、その下側に配置される支持部材に対してその支持部材の長手方向に沿って複数設けられ、該支持部材の上側であって固定部材との間に設けられた隙間に、支持部材とほぼ同一長さの防水性長樋が設けられていることを特徴とするシートの定着構造。
【発明の詳細な説明】
【技術分野】
【０００１】
本発明は、シートを用いてエアドームやテントなどの組立物を組立てる場合に、その組立物に対して所定の位置に予め配置させた固定部材にシートの端部を固定等して定着させるシートの定着構造に関する。
【背景技術】
【０００２】
上述したシートの定着構造として、図７に示すものが知られている（例えば特許文献１参照）。この構造は、シート１００の端部１００ａを折り返し、その折り返し部分の内側に、例えば紐や棒状物等からなる係止部材１０１を取付け、その係止部材１０１を、長手方向に沿って凹溝１０３が設けられた固定部材１０２の前記凹溝１０３の内部に挿入し、その凹溝１０３の開口１０３ａの外側に抜け防止部材１０４を配置して開口１０３ａを塞ぎ、係止部材１０１が抜け出るのを防止する構成となっている。
【特許文献１】特開平６−３１３３８１号公報
【発明の開示】
【発明が解決しようとする課題】
【０００３】
しかしながら、上述したシートの定着構造の場合には、係止部材１０１だけでなく抜け防止部材１０４をも取付けを必要とするため、シート定着作業が煩わしいという難点があった。そこで、凹溝１０３の開口１０３ａを係止部材１０１よりも狭い寸法に設定することで、抜け防止部材１０４を省略した構成とし、シート定着作業の容易化を図ることが考えられるが、この場合には係止部材１０１を凹溝１０３の長手方向から挿入する必要性があってシート定着作業に改善の余地が残されていた。
【０００４】
本発明は、このような従来技術の課題を解決するためになされたものであり、シート定着作業を容易に行うことができるシートの定着構造を提供することを目的とする。
【課題を解決するための手段】
【０００５】
本発明のシートの定着構造は、折り返し部を端部寄り部位に有するシートと、上記シートの折り返し部の内側に取付けられる係止部材と、上記係止部材および上記折り返し部が抜け防止された状態で取付けられる凹溝を長手方向に有し、かつ外側に固定部材係合用の係合部が設けられたファスナー部材と、上記ファスナー部材が入る取付凹部を長手方向に有し、該取付凹部に長手方向と直交する方向から上記ファスナー部材を挿入して上記係合部と係合される被係合部が上記取付凹部に設けられた固定部材とを具備し、上記取付凹部に上記ファスナー部材を固定部材の長手方向と直交する方向から挿入し、上記係合部を上記被係合部に係合させることにより、取付凹部に上記ファスナー部材が取付けられることを特徴とする。
【０００６】
請求項２のシートの定着構造は、請求項１に記載のシートの定着構造において、前記被係合部が前記取付凹部の側面から取付凹部内に突出する突条に形成され、前記係合部が上記突条に引掛けることにより係合する断面鈎形に形成されていることを特徴とする。
【０００７】
請求項３のシートの定着構造は、請求項１または２に記載のシートの定着構造において、前記凹溝は、前記係止部材が取付けられる広幅部とこれに繋がっていてシート部分が通る狭幅部とを有するもので、上記狭幅部が上記係止部材を抜け防止する幅寸法で形成されていることを特徴とする。
【０００８】
請求項４のシートの定着構造は、請求項１乃至３のいずれか１項に記載のシートの定着構造において、前記固定部材の下側に、固定部材よりも固定部材の幅方向に突出した庇部を有する内樋が設けられ、上記庇部には上方に突出した突出部が設けられていることを特徴とする。
【０００９】
請求項５のシートの定着構造は、請求項１乃至４のいずれか１項に記載のシートの定着構造において、前記固定部材を覆うとともに該固定部材にシートを押し付けるように取付けられるカバー部材と、そのカバー部材のシート側に配置される防水カバーとを更に備えることを特徴とする。
【００１０】
請求項６のシートの定着構造は、請求項５に記載のシートの定着構造において、前記防水カバーの幅方向端部と対向する固定部材の幅方向端部に、シートを挟持するように別の防水カバーが設けられていることを特徴とする。
【００１１】
請求項７のシートの定着構造は、請求項１乃至６のいずれか１項に記載のシートの定着構造において、前記固定部材は、前記固定部材の長手方向と直交する幅方向両側に前記取付凹部を有し、各取付凹部にそれぞれ取付けられた両ファスナー部材の凹溝に各折り返し部が抜け防止された両シートは、前記折り返し部よりも外側にシート端縁部を有し、各シート端縁部を固定部材の上側に、かつこれら両シート端縁部どうしが相互に重なるように位置させ、両シート端縁部の重なり部分が接着、溶着または貼着されていることを特徴とする。
【００１２】
請求項８のシートの定着構造は、請求項１乃至７のいずれか１項に記載のシートの定着構造において、前記固定部材が、その下側に配置される支持部材に対してその支持部材の長手方向に沿って複数設けられ、該支持部材の上側であって固定部材との間に設けられた隙間に、支持部材とほぼ同一長さの防水性長樋が設けられていることを特徴とする。
【発明の効果】
【００１３】
本発明にあっては、ファスナー部材を取付凹部にその長手方向と直交する方向から挿入し、ファスナー部材の係合部を固定部材の被係合部に係合させることで、固定部材の取付凹部にファスナー部材を取付けることができる。よって、取付凹部にその長手方向からファスナー部材と抜け防止部材とを挿入する必要がなく、また抜け防止部材のような別部材で凹溝の開口を塞ぐ必要もなくなり、作業性よくファスナー部材を固定部材の取付凹部に取付けることが可能になる。その結果、シート定着作業を容易に行うことが可能になる。
【００１４】
請求項２による場合には、断面鈎形の係合部を突条の被係合部に引っ掛けることで両者間の係合を行うことができ、係合作業が容易である。
【００１５】
請求項３による場合には、凹溝の広幅部に係止部材を位置合わせし、狭幅部にシート部分を位置合わせして挿入すると、狭幅部により係止部材の凹溝からの抜け防止を図ることができる。
【００１６】
請求項４による場合には、万が一シートの下側に雨水が浸入してきても、或いはシートの内外での温度差に基づきシートの下側に結露による水滴が形成されても、このような水分を内樋が受けることとなる。そして、例えば内樋の適当な箇所にシートの外部へ水分を導く導水管を設けておくことで、シートで覆われた空間の外側へ排水することが可能となる。
【００１７】
請求項５による場合には、固定部材とカバー部材との間に設けた防水カバーがシートを固定部材に密着させるとともに、凹溝をも覆うので、より確実にシート下側への雨水の漏れを防止することが可能になる。
【００１８】
請求項６による場合には、シートがその表裏両側に設けた防水カバーで挟持されるので、より確実にシート下側への雨水の漏れを防止することが可能になる。
【００１９】
請求項７による場合には、折り返し部に設けた係止部材が固定部材の凹溝に取付けられ、固定部材の両側のシートのシート端縁部が相互に重ねられるとともに、その重なり部分が接着等されて両側のシートが一体化した状態に繋がる。加えて、係止部材が凹溝から抜け防止されているので、固定部材の両側にシートが接続される。このように固定部材に接続された両側のシートが、例えば内側にエアを吹入れてシートの中央部が上方へ向けて膨らんだ状態で使用されるとき、雨等により固定部材側、つまりシート端縁部側へ雨水が集まって来ても、上述のように両側のシートが一体化した状態に繋がっているので、シートの下側へ雨水が漏れることを防止できる。よって、確実な防水機能を発揮させ得る。
【００２０】
請求項８による場合には、支持部材の上に、それよりも短尺の複数の固定部材を長手方向に並べて配置しても、長手方向に隣り合う固定部材の突き合わせ部分から雨水等の侵入が起こっても、その侵入してきた雨水等を防水性長樋が受けることとなる。そして、例えば長樋の適当な箇所にシートの外部へ水分を導く導水管を設けておくことで、シートで覆われた空間の外側へ排水することが可能となる。
【発明を実施するための最良の形態】
【００２１】
以下に、本発明を具体的に説明する。
【００２２】
図１は本発明のシートの定着構造を適用した構造物を模式的に示す正面図である。
【００２３】
この構造物は、左右方向に並んだ複数列、図示例では３列の支持部材１と、３列の支持部材１の前端が繋がった前側支持片（図示せず）と、３列の支持部材１の後端が繋がった後側支持片（図示せず）とを有する。左右方向に並んだ各支持部材１は前後方向に長い水平板１ａと、その水平板１ａの下側に所定間隔で設けられた支柱１ｂとからなる。そして、各水平板１ａの上にシート接続手段２が設けられ、隣り合うシート接続手段２の間にシート３が接続された構成となっている。このシート３は、本実施形態では４層の膜体４ａ、４ｂ、４ｃ、４ｄを有するもので、そのうちの３つの膜体４ａ〜４ｃがシート接続手段２の外側に主として存在し、膜体４ｄ（図４参照）はシート接続手段２の内部に存在している。そして、膜体４ａ〜４ｃの間に空気を充填することで、外観として蒲鉾を２列並べた形状の屋根を形成する。なお、膜体４ａ〜４ｄについては、後で詳述する。
【００２４】
この構造物において、３つのシート接続手段２のうち、両端のシート接続手段２には片側にシート３が接続され、中央のシート接続手段２には両側にシート３が接続されている。
【００２５】
図２は上記シート接続手段を示す分解図（正面図）であり、図３はその要部を示す断面図（正面図）である。
【００２６】
このシート接続手段２は、水平板１ａの上側に取付けられる固定部材１０と、固定部材１０の上に設けられる防水カバー１１と、更にその上に設けられるカバー部材１２とを有する。固定部材１０は水平板１ａにボルト１３ａとナット１３ｂにより固定され、その固定部材１０に対して防水カバー１１及びカバー部材１２がボルト１４ａとナット１４ｂにより固定されている。なお、防水カバー１１とカバー部材１２の間には、ボルト１４ａに挿通させて防水性ワッシャ１４ｃが配されている。なお、図２中の１３ｃと１４ｄはワッシャである。
【００２７】
上記固定部材１０は、隣合うシート３、３の間であってシート３の端部３ａに沿う方向に長手方向を一致させて配置されるものであり、図３に示すように、一対の取付凹部２０を有する固定部材本体２１と、上記取付凹部２０に着脱可能に取付けられる一対のファスナー部材２２とを有する。
【００２８】
取付凹部２０は上記長手方向と直交する幅方向の両側に長手方向に沿って形成されていて、その内奥部に被係合部２０ａが設けられており、被係合部２０ａは取付凹部２０の側面から取付凹部２０の内側に突出した突条に形成されている。ファスナー部材２２には外側に係合部２２ａが設けられており、その係合部２２ａは断面鈎形に形成されている。そして、係合部２２ａを被係合部２０ａに引掛けることで両者間の係合を行うことができ、ファスナー部材２２が固定部材１０の取付凹部２０に取付けられる。この取付け状態において、両ファスナー部材２２と、これらの間の固定部材本体２１の中央部分２１ｃとの高さはほぼ一定となっていて、各取付凹部２０の外側は少し低く、傾斜面２１ａが形成されている。傾斜面２１ａの上には防水部材２１ｂが取付けられ、防水部材２１ｂの上面は外側が高く内側が低くなっている。
【００２９】
このような上面を有する固定部材１０の上に設けられるカバー部材１２の下面および防水カバー１１は、固定部材１０の上面に対応する凹凸状態に形成されていて、固定部材１０に対してカバー部材１２をボルト１４ａおよびナット１４ｂにより取付けると、例えばゴム等の弾性部材からなる防水カバー１１のほぼ全域が固定部材１０に押し付けられる。
【００３０】
各ファスナー部材２２には凹溝２２ｂが形成されている。図左側のファスナー部材２２の凹溝２２ｂは左向きに開口２２ｃを配して形成され、図右側のファスナー部材２２の凹溝２２ｂは右向きに開口２２ｃを配して形成されている。
【００３１】
各シート３の両側の端部３ａは、図４に示すようにシート端縁部３ｂと折り返し部３ｃと接合部３ｄとを有する。接合部３ｄは、４つの膜体４ａ〜４ｄが接合されている。その接合には、接着、熱溶着、貼着などが用いられる。折り返し部３ｃは、接合部３ｄよりも外側であってシート端縁部３ｂの下側に位置し、本実施形態では膜体４ａの端部を折り返して形成されていて、その折り返し部３ｃの内部には前記係止部材２３が配置される。シート端縁部３ｂは、前記接合部３ｄよりも外側に位置し、前記中央部分２１ｃの上側に配される。
【００３２】
上記係止部材２３は、例えば紐状のものであって、この係止部材２３が取付けられる凹溝２２ｂはその溝長方向（前記固定部材１０の長手方向と同一方向）と直交する方向の開口２２ｃを内奥部よりも狭幅に形成されていて、開口２２ｃの幅寸法を紐状の係止部材２３の直径よりも十分に小さくし、係止部材２３が開口２２ｃから抜け落ちるのを防止するようにしている。つまり、開口２２ｃの内側の肉部２２ｄが抜け防止手段として機能する。
【００３３】
上記ファスナー部材２２における凹溝２２ｂへの係止部材２３の取付けは、凹溝２２ｂの両端の開口部の一方から長手方向に挿入することで行われ、これによりシート３がファスナー部材２２に取付けられる。このファスナー部材２２の上部に設けた取付用の穴２２ｅに、図３において二点鎖線で示す取付け治具５０の先端５０ａを入れてシート３を引っ張り、係合部２２ａを被係合部２０ａに引掛けることで、ファスナー部材２２を固定部材本体２１の取付凹部２０に取付ける。その後、図４に示すように、シート端縁部３ｂを前記中央部分２１ｃの上側に位置させ、左右両側のシート３の一方（例えば図示例では右側）のシート３のシート端縁部３ｂを下側に、他方（例えば図示例では左側）のシート３のシート端縁部３ｂを上側にして重ねる。そして、その相互に重なる部分に、両面に接着層を有するテープ２４を貼着する。これにより、両側のシート３、３は、それぞれのシート端縁部３ｂがテープ２４を介して一体的に繋がった状態で固定部材１０に取付けられることとなる。
【００３４】
カバー部材１２およびその下側の防水カバー１１は固定部材１０の幅寸法とほぼ同一の幅寸法を有し、上記カバー部材１２を固定部材１０に、上述したようにボルト１４ａおよびナット１４ｂにより取付けると、カバー部材１２および防水カバー１１は、幅方向両側の取付凹部２０および凹溝２２ｂを覆う。また、弾性部材からなる防水カバー１１が固定部材１０に押し付けられるので、テープ２４を介してシート３の繋がった部分が密着され、シート３の下側への雨水等の漏れをより確実に防止する。更に、シート端縁部３ｂの少し内側寄りの部分、図示例では接合部３ｄが、防水カバー１１と防水部材２１ｂとの間で挟持される。防水部材２１ｂは、防水カバー１１の幅方向端部と対向する固定部材の幅方向端部に設けられている。ここで、防水カバー１１および防水部材２１ｂを共に、例えば弾性部材により作製することにより、テープ２４を介してシート３の繋がった部分が、更に確実に防水状態とされる。更にまた、テープ２４を介してシート３の繋がった部分は、防水カバー１１と防水部材２１ｂとの間で挟持される高さ位置よりも高い位置にあるので、防水性能が向上する。
【００３５】
したがって、本実施形態による場合には、ファスナー部材２２を取付凹部２０にその長手方向と直交する方向から挿入し、固定部材本体２１の被係合部２０ａにファスナー部材２２の係合部２２ａを係合させることで、取付凹部２０にファスナー部材２２を取付けることができる。よって、従来のように取付凹部２０にその長手方向からファスナー部材と抜け防止部材とを挿入する必要がなく、また前記抜け防止部材のような別部材で凹溝の開口を塞ぐ必要もなくなり、作業性よくファスナー部材２２を固定部材本体２１の取付凹部２０に取付けることが可能になる。その結果、シート定着作業を容易に行うことが可能になる。
【００３６】
また、本実施形態による場合には、固定部材１０に接続された両側のシート３、３が、膜体４の間に空気を充填してシート３の中央部が上方へ向けて膨らんだ状態で使用されるとき、雨等により固定部材１０側、つまりシート端縁部３ｂ側へ雨水が集まって来ても、上述のように両側のシート３、３が一体化した状態に繋がっているので（図４参照）、シート３の下側へ雨水が漏れることを防止できる。よって、確実な防水機能を発揮させ得る。
【００３７】
図５は、本発明の他の実施形態に係るシートの定着構造を示す断面図である。なお、図２〜図４と同一部分には同一番号を付している。
【００３８】
このシート定着構造は、固定部材１０の下側に、固定部材１０の幅方向両側において固定部材１０よりも突出させて内樋３０が設けられている。この内樋３０は、固定部材１０から幅方向に突出した庇部３０ａを有し、その庇部３０ａには上方に突出した突出部が形成されている。その突出部は、図示例では庇部３０ａの全体を斜め上方に向けて曲折させた構成としているが、二点鎖線で示すように庇部３０ａの端部３０ｂを上方に向けて曲折させた構成としてもよい。
【００３９】
この実施形態による場合には、万が一シート３の下側に雨水が浸入してきても、或いはシート３の内外での温度差に基づきシート３の下側に結露による水滴が形成されても、このような水分を内樋３０が受けることとなる。そして、例えば内樋３０の適当な箇所にシート３の外部へ水分を導く導水管（図示せず）を設けておくことで、シート３で覆われた空間の外側、つまり構造物の外側へ排水することが可能となる。
【００４０】
図６は、本発明の更に他の実施形態に係るシートの定着構造を示す断面図である。なお、図２〜図４と同一部分には同一番号を付している。
【００４１】
このシート定着構造は、支持部材１における水平板１ａの上側であって固定部材１０との間に設けられた隙間に防水性長樋３１が設けられている。長樋３１は、例えばゴム製のもので、幅方向両端部３１ａが上向きの断面コの字状に形成されていて、支持部材１とほぼ同一長さとなっている。但し、支持部材１よりも短いものを一部に使用する場合には、複数の支持部材１の繋ぎ目を接続して水漏れが発生しないように構成される。
【００４２】
この実施形態による場合には、支持部材１の水平板１ａの上に、それよりも短尺の固定部材１０を長手方向に並べて配置しても、隣り合う固定部材１０の突き合わせ部分から雨水等の侵入が起こっても、その侵入してきた雨水等を長樋３１が受けることとなる。そして、例えば長樋３１の適当な箇所にシート３の外部へ水分を導く導水管（図示せず）を設けておくことで、シート３で覆われた空間の外側（構造物の外側）へ排水することが可能となる。なお、図６の例では、ボルト１３ａとナット１３ｂは長樋３１の両外側に配置されている。また、図６中の３３はカバー部材１２を固定部材１０に固定するためのねじであり、１１Ａは固定部材の凸部１０ａとカバー部材１２の凹部１２ａとの位置決めを可能とすべく中央部を省略して幅方向両側に配された防水カバーである。
【００４３】
なお、上述した実施形態ではシート端縁部３ｂを重ね、その重なった部分をテープ２４で貼着しているが、本発明はこれに限らず、上記重なった部分を接着、熱溶着などで密着させてもよい。
【００４４】
また、上述した実施形態ではシートとして用いる膜体の材質について特に限定しないため明言していないが、その膜体の材質としては、例えばフィルム、繊維織物、繊維織物に樹脂やゴムをコーティングしたものなどが利用できる。
【００４５】
更に、上述した実施形態ではシートとして、３層の膜体４ａ〜４ｃの一つの膜体４ｃに膜体４ｄが接合された構成のものを使用しているが、本発明はこれに限らない。例えば、３層の膜体４ａ〜４ｃのうちの膜体４ｂまたは膜体４ｃが省略された構成、或いは膜体４ｂおよび膜体４ｃが省略されていて膜体４ａのみからなる構成、或いは３層の膜体４ａ〜４ｃに更に別の膜体が重なった４層以上の膜体に、膜体４ｄが接合された構成であってもよい。また、本発明は、膜体４ｄを膜体４ｃに接合する構成ではなく、膜体４ｄおよび膜体４ｃのうちの一方を長めに設定することで、他方の膜体を省略した構成とすることも可能である。
【００４６】
更にまた、上述した実施形態では膜体４ａの折り返し部の上に膜体４ｂ、４ｃを重なるように設けているが、本発明はこれに限らない。例えば、膜体４ａとその折り返し部との間で膜体４ｂ、４ｃを挟むように設けてもよい。
【図面の簡単な説明】
【００４７】
【図１】本発明のシートの定着構造を適用した構造物を模式的に示す正面図である。
【図２】図１のシート接続手段を示す分解図（正面図）である。
【図３】図１のシート接続手段の要部を示す断面図（正面図）である。
【図４】シートの接続状態を示す模式図である。
【図５】本発明の他の実施形態に係るシートの定着構造を示す断面図である。
【図６】本発明の更に他の実施形態に係るシートの定着構造を示す断面図である。
【図７】特許文献１のシートの定着構造を示す断面図である。
【符号の説明】
【００４８】
１    支持部材
２    シート接続手段
３    シート
３ａ    端部
３ｂ    シート端縁部
３ｃ    折り返し部
１０    固定部材
１１    防水カバー
１２    カバー部材
２０    取付凹部
２０ａ    被係合部
２１    固定部材本体
２２    ファスナー部材
２２ａ    係合部
２２ｂ    凹溝
２２ｃ    開口
２３    係止部材
２４    両面に接着層を有するテープ
３０    内樋
３１    防水性長樋
【図１】
2007314990.tif 000003
【図２】
2007314990.tif 000004
【図３】
2007314990.tif 000005
【図４】
2007314990.tif 000006
【図５】
2007314990.tif 000007
【図６】
2007314990.tif 000008
【図７】
2007314990.tif 000009